(57)【特許請求の範囲】
【請求項１】
回答を要求する情報とこの情報に対応する回答とを受信する受信手段と、
この受信手段によって受信された前記情報と前記回答とを記憶する第１の記憶手段と、
この第１の記憶手段に記憶された情報を表示する表示手段と、
この表示手段により表示された情報に対し、回答を入力する入力手段と、
この入力手段により入力された回答と前記第１の記憶手段に記憶された回答とを比較する比較手段と、
この比較手段による比較の結果、前記入力手段に入力された回答と前記第１の記憶手段に記憶された回答とが一致する場合、前記回答を要求する情報とこの情報に対応する回答とを送信した送信元に、自己を識別するための識別情報を送信する送信手段と、
を備えたことを特徴とする通信装置。
【請求項２】
前記送信先への接続情報を記憶する接続情報記憶手段と、
前記比較手段による比較の結果、前記入力手段に入力された回答と前記第１の記憶手段に記憶された回答とが一致しない場合、前記接続情報記憶手段に記憶された接続情報を消去する第１の消去手段と、
を更に備えたことを特徴とする請求項１に記載の通信装置。
【請求項３】
前記受信手段により前記情報と前記回答とが受信されると、一定時間の計時を開始するタイマ手段と、
前記入力手段により回答が入力されると、この回答が入力されたことを前記第１の記憶手段に記憶された情報と対応付けて記憶する第２の記憶手段と、
前記タイマ手段が計時する時間が前記一定時間に近付き、かつ、前記第２の記憶手段に回答が入力された旨が記憶されていないときに報知する報知手段と、
を更に備えたことを特徴とする請求項２に記載の通信装置。
【請求項４】
前記タイマ手段により前記一定時間が計時され、かつ、前記第２の記憶手段に回答が入力された旨が記憶されていないとき、前記接続情報記憶手段に記憶された接続情報を消去する第２の消去手段を更に備えることを特徴する請求項３に記載の通信装置。
【請求項５】
前記自己を識別するための識別情報は、当該通信装置を呼び出すための情報であることを特徴とする請求項１〜４の何れか一項に記載の通信装置。
【請求項６】
回答を要求する情報とこの情報に対応する回答とを受信する受信ステップと、
この受信ステップにて受信された前記情報と前記回答とを第１のメモリに記憶させる第１の記憶ステップと、
この第１の記憶ステップにおいて記憶された情報を表示部に表示させる表示ステップと、
この表示ステップにて表示された情報に対し、回答を入力する入力ステップと、
この入力ステップに入力された回答と前記第１の記憶ステップにて記憶された回答とを比較する比較ステップと、
この比較ステップによる比較の結果、前記入力ステップにて入力された回答と前記第１の記憶ステップにて記憶された回答とが一致する場合、前記回答を要求する情報とこの情報に対応する回答とを送信した送信元に、自己を識別するための識別情報を送信する送信ステップと、
からなることを特徴とする通信方法。
【発明の詳細な説明】
【０００１】
【発明の属する技術分野】
本発明は、通信装置及び通信方法に関する。
【０００２】
【従来の技術】
従来の電話回線を使用した文字情報の送受を行う通信システムとしては、無線ページングシステムやホームバンキングシステムなどがある。そして、無線ページングシステムにおける送信データフォーマットとしては、ＰＯＣＳＡＧ方式がある。
【０００３】
しかしながら、近年の移動体通信技術の発達に伴ってサービス利用料金の値下げや、ビジネスユースのみならずパーソナルユース、特に、若年層への普及が進んだ結果、サービス加入者が増加して、十分なサービスの提供が困難になっている。
【０００４】
このように、最近の急激な需要の増加や機能の拡張に伴って、サービスも高度にする必要があり、その結果、標準規格「ＲＣＲ  ＳＴＤ−４３」で規定された高度ページング方式が導入されている。
【０００５】
まず、この高度ページング方式について以下に簡単に説明する。この高度ページング方式に採用されるデータ構成を図３５に示す。図３５において、Ａは１時間周期で送信されるサイクルデータ構成、Ｂは上記サイクルデータ構成Ａにおける１サイクルのフレームデータ構成、Ｃは上記フレームデータ構成Ｂにおける１フレーム内のデータ構成、そして、Ｄは１フレームのブロック構成を示している。サイクルデータ構成Ａは、“Ｎｏ．０”から“Ｎｏ．１４”までの番号が付けられた１５個のサイクルよりなる。
【０００６】
又、フレームデータ構成Ｂは、“Ｎｏ．０”から“Ｎｏ．１２７”までの番号が付けられた１２８個のフレームよりなり、これは４分周期で送信される。１フレームはデータ長が１．８７５秒あり、データ構成Ｃにおいて、１フレームのデータの中はそのデータ内容に応じて８つに区分されている。
【０００７】
これら８つのデータ内容はデータ構成Ｃ、ブロック構成Ｄで示されるように、先頭部より、同期部１（Ｓ１）Ｃ１、フレーム情報（ＦＩ）Ｃ２、同期部２（Ｓ２）Ｃ３からなる１１５ミリ秒で送信される同期信号部Ｄ１と、ブロック情報（ＢＩ）Ｃ４、アドレスフィールド（ＡＦ）Ｃ５、ベクトルフィールド（ＶＦ）Ｃ６、メッセージフィールド（ＭＦ）Ｃ７、及びアイドルブロック（ＩＢ）Ｃ８の５種類のデータよりなり、１ブロックにつき１６０ミリ秒で１１ブロックで送信されるインターリーブブロック部Ｄ２とで構成される。
【０００８】
同期信号部Ｄの内、同期部１（Ｓ１）Ｃ１は、２値ＦＳＫ変調された１６００ＢＰＳの１１２ビットから構成され、当該フレームの受信タイミングや１６００ＢＰＳシンボルデータの受信タイミング、及びインターリーブブロック部Ｄ２が、以下の４種類のフレームタイプのうちどのフレームタイプでインターリーブ送信されるか、その送信形態を示すを情報が含まれている。
【０００９】
１．２値ＦＳＫ変調／１６００ＢＰＳ
２．２値ＦＳＫ変調／３２００ＢＰＳ
３．４値ＦＳＫ変調／３２００ＢＰＳ
３．４値ＦＳＫ変調／６４００ＢＰＳ
フレーム情報（ＦＩ）Ｃ２は、２値ＦＳＫ変調された１６００ＢＰＳの３２ビットで構成され、サイクルデータ構成Ａにおいて当該フレームが属するサイクルのサイクルＮｏ．のデータ（４ビット）、そしてこのサイクルＮｏ．のサイクルにおいて、当該フレームが属するフレームＮｏ．のデータ（７ビット）、及び複数回送信表示、及びその送信回数を規定する情報が格納される。
【００１０】
同期部２（Ｓ２）Ｃ３、及びブロック情報（ＢＩ）Ｃ４からアイドルブロック（ＩＢ）Ｃ８までのインターリーブブロック部Ｄ２は、上記同期部１（Ｓ１）Ｃ１で規定されたフレームタイプで送信されるデータである。
【００１１】
同期部２（Ｓ２）Ｃ３は同期部１（Ｓ１）Ｃ１で規定された変調方式及び伝送速度で送信されるインターリーブブロック部Ｄ２に対し、呼び出されたページャーが取り込めるようにタイミング情報を与えるブロックである。
【００１２】
ブロック情報（ＢＩ）Ｃ４は、インターリーブブロック部Ｄ２のブロック＃０にある、通常は１ワードで構成されたデータであり、本フィールドが終了し、後述のアドレスフィールド（ＡＦ）Ｃ５の開始点となるワード番号（２ビット）、及びベクトルフィールド（ＶＦ）Ｃ６の開始点となるワード番号（６ビット）等の情報等を格納するブロック情報１が格納される。又、システムから定期的に送信されるブロック情報は２、３、又は４ワードあり、サイマルキャストシステムＩＤ、そして、フレームＮｏ．が０の時はカレンダー、実時間情報、タイムゾーン、及びシステムメッセージが格納される。
【００１３】
アドレスフィールド（ＡＦ）Ｃ５は、発呼先のページャーのアドレスデータを格納するフィールドであり、ショートアドレス（３２ビット）、又はロングアドレス（６４ビット）を格納する。
【００１４】
ベクトルフィールド（ＶＦ）Ｃ６は、アドレスフィールド（ＡＦ）Ｃ５と対を成し、後述のメッセージフィールド（ＭＦ）Ｃ７における自己メッセージデータが開始されるワード番号、及び自己メッセージデータのデータ長を示すワード数、及び自己メッセージデータのデータ形態等の情報を格納するフィールドである。
【００１５】
メッセージフィールド（ＭＦ）Ｃ７は、ベクトルフィールド（ＶＦ）Ｃ６で規定された情報に応じたメッセージデータを格納するフィールドである。そして、アイドルブロック（ＩＢ）Ｃ８は、未使用ブロックであり、ここには“１”又は“０”のパターンがセットされる。
【００１６】
また、図３５に示した上述の信号フォーマットは、それぞれａ，ｂ，ｃ，ｄの４つの独立したフェーズで時系列的に平行してインターリーブ送信される。すなわち、ＳＴＤ−４３方式を採用すれば、ページングサービス会社はこの４つのフェーズを単独または２乃至４つ使用することにより、内容の異なる１フレームのデータを多重化して一度に送信することも可能である。
【００１７】
この高度ページング方式では、以上のデータ構成を利用して提供されるサービスとして、基本的なページングサービスの他にページング受信機（以下、ページャーという）のアドレス毎にセンター側設備から呼に対してメッセージ番号を付加して送信し、又、センターでもメッセージを管理する「メッセージ通番サービス」や、為替相場等種々の情報メッセージを受信することができる「情報サービス」等がある。
【００１８】
又、この高度ページング方式に対応するページャーを利用する加入者は、基本サービスと付加的なこれらのサービスを選択することができ、例えば、上記「情報サービス」を選択した場合は、種々の情報提供会社から種々の情報メッセージを受信することができる。
【００１９】
【発明が解決しようとする課題】
しかしながら、従来のＰＯＣＳＡＧ方式より比較的長いメッセージを送信できる上記高度ページング方式であっても、情報サービスでやりとりする情報メッセージのデータ量には限界があり、一度に表示できる情報メッセージの文字数も限られている。したがって、表現力が乏しく、十分なサービスの提供ができないという問題が発生しつつある。
【００２０】
また、この高度ページング方式に対応するページャーは、従来のＰＯＣＳＡＧ方式対応のページャーに比べ、より大容量のメッセージの受信のみでなく、周期的に時刻補正情報等も受信して、ページャーの時刻補正ができるようになってきているが、提供されるサービス内容には限界がある。
【００２１】
また、ページングサービスそのものが顧客からの要求にしたがって、ビジネスユースからパーソナルユースに移行しつつあるため、情報サービスの内容が為替相場等の定形的、かつ一般的なものから、個人売買や、コンサートチケット情報等、非定形的で個人的な情報へニーズが移行し、近年では携帯電話やＰＨＳ（パーソナルハンディホンシステム）の普及及び低料金化が加速し、ページングシステムの利用者層の若年化が一層進んでいる。
【００２２】
しかしながらこのような利用者層は、ページャーに、単なるメッセージの着信、表示のみの機能を要求するだけではなく、ページングシステムを利用した一種の遊び的要素を、事業者に対して要求しており、これに答えて事業者は、例えば、情報サービスにおいて、占い情報やスキーのゲレンデ情報等を定期的に送信しているが、常に新しいサービスやページャーの新機能を提供していかないと、若年層の利用者が離れてしまう危惧がある。
【００２３】
本発明はこのような問題に鑑みて、例えばクイズ情報のような回答を要求するメッセージを受信し、このメッセージに対する回答を行った際に、自己が回答したことを確実にサービス提供側へ送信することができる通信装置及び通信方法を提供することを目的とする。
【００２５】
【課題を解決するための手段】
請求項１に記載の通信装置は、
回答を要求する情報とこの情報に対応する回答とを受信する受信手段と、
この受信手段によって受信された前記情報と前記回答とを記憶する第１の記憶手段と、
この第１の記憶手段に記憶された情報を表示する表示手段と、
この表示手段により表示された情報に対し、回答を入力する入力手段と、
この入力手段により入力された回答と前記第１の記憶手段に記憶された回答とを比較する比較手段と、
この比較手段による比較の結果、前記入力手段に入力された回答と前記第１の記憶手段に記憶された回答とが一致する場合、前記回答を要求する情報とこの情報に対応する回答とを送信した送信元に、自己を識別するための識別情報を送信する送信手段と、
を備えたことを特徴としている。
【００２６】
請求項６に記載の通信方法は、
回答を要求する情報とこの情報に対応する回答とを受信する受信ステップと、
この受信ステップにて受信された前記情報と前記回答とを第１のメモリに記憶させる第１の記憶ステップと、
この第１の記憶ステップにおいて記憶された情報を表示部に表示させる表示ステップと、
この表示ステップにて表示された情報に対し、回答を入力する入力ステップと、
この入力ステップに入力された回答と前記第１の記憶ステップにて記憶された回答とを比較する比較ステップと、
この比較ステップによる比較の結果、前記入力ステップにて入力された回答と前記第１の記憶ステップにて記憶された回答とが一致する場合、前記回答を要求する情報とこの情報に対応する回答とを送信した送信元に、自己を識別するための識別情報を送信する送信ステップと、
からなることを特徴としている。
【００２７】
この請求項１記載の通信装置及び請求項６記載の通信方法によれば、回答を要求する情報を受信して表示し、この情報に対して入力された回答（以下、「入力回答」という。）と、受信した回答（以下、「受信回答」という。）とを比較する。そして、この比較した結果、入力回答と受信回答とが一致した場合に、送信元に識別情報を送信する。
【００２８】
したがって、本発明によれば、入力回答が受信回答と一致した場合、自己の通信装置が正解したことを送信元に確実に通知することができる。このため、例えば、クイズ情報サービスの一環として、付加機能を拡張するよう無線データを送信する等のサービスを正解した加入者の通信装置に提供することが可能となり、単なるメッセージの着信、表示のみの機能を提供するだけではなく、加入者が要求する一種の遊び的要素に答えることができる。また、通信装置が識別情報を送信元に送信することによって、送信元は回答を要求する情報等を送信した送信先を特定し、その受信した識別情報を照合するだけで送信先の通信装置を認証することができる。これにより、クイズ情報サービスの提供だけにとどまらず、加入者層の要求に応じて常に新しいサービスや通信装置の新機能を提供することが可能となり、情報サービスのサービス形態をいっそう充実させることができる。
【００２９】
この場合、請求項２に記載する発明のように、請求項１記載の通信装置において、
前記送信元への接続情報を記憶する接続情報記憶手段と、
前記比較手段による比較の結果、前記入力手段に入力された回答と前記第１の記憶手段に記憶された回答とが一致しない場合、前記接続情報記憶手段に記憶された接続情報を消去する第１の消去手段と、を更に備えることとしてもよい。
【００３０】
したがって、本発明の通信装置によれば、入力回答が受信回答と一致しない場合、送信先への接続情報が自動的に消去されるため、通信装置の利用者が不要な接続情報を消去する手間を省略することができる。
【００３１】
また、請求項３に記載する発明のように、請求項２記載の通信装置において、
前記受信手段により前記情報と前記回答とが受信されると、一定時間の計時を開始するタイマ手段と、
前記入力手段により回答が入力されると、この回答が入力されたことを前記第１の記憶手段に記憶された情報と対応付けて記憶する第２の記憶手段と、
前記タイマ手段が計時する時間が前記一定時間に近付き、かつ、前記第２の記憶手段に回答が入力された旨が記憶されていないときに報知する報知手段と、
を更に備えることとしてもよい。
【００３２】
したがって、本発明の通信装置によれば、回答を要求する情報等の受信後、一定時間に近付くまでに回答が入力されていない場合に報知するため、加入者に対して回答の入力を要求することができる。
【００３３】
また、請求項４に記載する発明のように、請求項３に記載の通信装置において、
前記タイマ手段により前記一定時間が計時され、かつ、前記第２の記憶手段に回答が入力された旨が記憶されていないとき、前記接続情報記憶手段に記憶された接続情報を消去する第２の消去手段を更に備えることとしてもよい。
【００３４】
したがって、本発明の通信装置によれば、回答を要求する情報等の受信後に一定時間が経過すると共に、回答を入力していない場合、送信先への接続情報が自動的に消去されるため、通信装置の利用者が不要な接続情報を消去する手間を省略することができる。
【００３５】
また、請求項５に記載の発明のように、請求項１〜４の何れかに記載の通信装置において、前記自己を識別するための識別情報は、当該通信装置を呼び出すための情報であることとしてもよい。
【００３６】
したがって、本発明の通信装置によれば、通信装置が識別情報を送信した送信元に、当該送信元の契約者であるか否かを判別させることができる。
【００４６】
【発明の実施の形態】
以下、図を参照して本発明の実施の形態を詳細に説明する。
【００４７】
（第１の実施の形態）
図１〜図２２は、本発明のデータ通信システムを適用した第１の実施の形態のページング通信システムを示す図である。
【００４８】
まず、構成を説明する。
【００４９】
図１は、本実施の形態として、通信端末にページャーを用い、通信システムとしてページングシステムを適用した場合を示すクイズ情報サービスのシステムの概略構成を示す図である。当該システムにおいて、複数の１Ａ〜１ＩはそれぞれグループＸ，Ｙ，Ｚに属するページャーであり、２は公衆電話であり、公衆電話２は、公衆回線網３を介してページングセンター４、クイズ情報サービスを提供する情報サービスセンター６等と接続されている。
【００５０】
また、ページングセンター４は、送信局アンテナ５と接続されるとともに、専用回線７を介して情報サービスセンター６と接続されている。
【００５１】
ページングセンター４は、図２に示すように、入出力回路４０１、切換部４０２、呼出番号照合部４０３、加入者メモリ４０４、音声応答回路４０５、制御部４０６、メッセージレジスタ４０７、ベクトルレジスタ４０８、アドレスレジスタ４０９、ブロック情報記憶用メモリ４１０、時刻計時手段４１１、送信信号制御部４１２及び送信データメモリ４１３により構成されている。
【００５２】
入出力回路４０１は、公衆回線網３に接続され、その公衆回線網３に接続されている公衆電話２から呼出対象となるグループＸ，Ｙ，Ｚに属するページャー１Ａ〜１Ｉの呼出番号及びメッセージ情報を入力すると共に、音声応答回路４０５からの音声メッセージを回線接続された公衆電話２に対して応答（出力）する機能を有している。
【００５３】
切換部４０２は、入出力回路４０１に接続され、制御部４０６の切換制御によって、入力データの内、呼出番号を呼出番号照合部４０３とメッセージ情報を制御部４０６に、それぞれ出力する回路である。
【００５４】
呼出番号照合部４０３は、切換部４０２より入力された呼出番号と予め加入者メモリ４０４に登録されている呼出番号とを比較して一致したか否かを判定する機能を有している。
【００５５】
加入者メモリ４０４は、呼出番号と、呼出対象となるグループＸ，Ｙ，Ｚに属するページャー１Ａ〜１ＩのＩＤ、すなわちアドレスデータ（３２ビット）とを契約加入者毎に関連付けて記憶する記憶媒体であり、これは制御部４０６によって読み出し制御される。
【００５６】
制御部４０６は、ページングセンター４全体の動作を制御すると共に、公衆電話２からのページャー呼び出し要求に応じてグループＸ，Ｙ，Ｚに属するページャー１Ａ〜１Ｉを呼び出す際の受信及び報知制御内容をフレームに設定する等、一連のページング処理を制御する機能を有している。また、制御部４０６は、情報サービスセンター６と専用回線７で接続されており、クイズ情報サービスに際し情報サービスセンター６から専用回線７を介して送られてくるアドレスデータ、メッセージデータに応じて、各グループＸ，Ｙ，Ｚに属するページャー１Ａ〜１Ｉに一括してに送信すべくグループメッセージとして一連のページング処理を制御する機能を有している。
【００５７】
音声応答回路４０５は、入出力回路４０１に接続され、制御部４０６の制御に従って音声メッセージを生成する回路であり、入出力回路４０１を介して回線接続した発呼者（公衆電話２）に対して音声でメッセージを応答する機能を有している。
【００５８】
メッセージレジスタ４０７は、制御部４０６よりページャー１Ａ〜１Ｉに対して発信するメッセージデータを受け取り格納すると共に、その情報を送信信号制御部４１２に出力する構成を有しており、例えば４ビット単位の数値コード（数字データ）で構成される数字メッセージデータを格納できる記憶容量をもっている。又、本発明では専用回線７を介して情報サービスセンター６より受信された一連のデータ（表示制御情報データ、問題番号データ、クイズメッセージデータ、正解メッセージデータ、連絡先電話番号データ）も格納する。このメッセージレジスタ４０７に格納されたメッセージデータは、上記図３５に示したフレーム構成Ｃのメッセージフィールド（ＭＦ）Ｃ７に設定されるデータである。
【００５９】
ベクトルレジスタ４０８は、制御部４０６により呼出先のアドレスデータに対し一対一でベクトルデータを格納すると共に、そのベクトルデータを送信信号制御部４１２に出力する構成を有している。
【００６０】
アドレスレジスタ４０９は、制御部４０６より呼び出すページャーを識別するＩＤコードであるアドレスデータ及びフレームデータや等の情報を受け取り格納すると共に、その情報を送信信号制御部４１２に出力する構成を有している。このアドレスレジスタ４０９に格納されたアドレスデータ及びフレームデータはそれぞれ上記図３５のフレーム構成Ｃのアドレスフィールド（ＡＦ）Ｃ５、フレーム情報（ＦＩ）Ｃ２に格納されるデータである。
【００６１】
ブロック情報記憶メモリ４１０は、制御部４０６により上記図３５のフレーム構成Ｃのブロック情報（ＢＩ）Ｃ４を設定するための設定情報を記憶する記憶媒体であり、アドレスフィールド（ＡＦ）Ｃ５及びベクトルフィールド（ＶＦ）Ｃ６の起点となるワード番号等の情報が格納される。
【００６２】
時刻計時手段４１１は、現在時刻を計時してその時刻情報を制御部４０６に出力する機能を有している。
【００６３】
送信信号制御部４１２は、メッセージレジスタ４０７、ベクトルレジスタ４０８及びアドレスレジスタ４０９に接続され、メッセージデータ、ベクトルデータ、アドレスデータ及びフレームデータ等の情報を取り出し、所定のデータ形式に変換して送信データを形成すると共に、制御部４０６の制御に従って送信データを送信アンテナ５に出力する機能を有している。なお、送信アンテナ５では、送信信号制御部４１２で形成された送信データを受け取り変調して、アンテナより各ページャー１Ａ〜１Ｉに無線出力する処理が実行される。
【００６４】
次いで、図１の情報サービスセンター６は、ページャー１Ａ〜１Ｉに対してクイズ情報サービスを実現するためにクイズメッセージ、及び正解メッセージの管理機能やデータベース機能を有し、図３に示す内部の概略構成のブロック図のように、メインフレーム６１、データ入出力部６２、データ出力部６３、契約者メモリ６４、送信スケジュールファイル６５及びデータベース６６により構成されている。
【００６５】
メインフレーム６１は、図示しないＣＰＵ（Central Processing Unit ）、ＲＡＭ（Random Access Memory）、ハードディスク（ＯＳ、データ通信用ドライバ（プログラムＮｏ．付の各種送信プログラムを含む））、アナウンス用音声合成回路及びディスプレイ等を含むコンピュータシステム及び計時部６１１により構成される。アナウンス用音声合成回路は、データ入出力部６１に接続され、ＣＰＵの制御に従って音声情報を生成する回路であり、データ入出力部６１を介して発呼者（公衆電話２）に音声でアナウンスを出力する機能を有している。
【００６６】
メインフレーム６１は、情報サービスセンター６全体の動作を制御すると共に、クイズ情報サービスに際して、後述する送信スケジュールファイル６５で設定された時刻のデータの一斉出力処理や、公衆電話２から送られてくるクイズの正解に伴う連絡先電話番号による回線接続に応じる機能を有している。また、メインフレーム６１は、クイズ情報サービスに際して、４ｔｈアドレス（情報サービス（クイズ）用呼出番号）、問題番号データ、クイズメッセージデータ、正解メッセージデータ、及び問題番号別に設定されている連絡先電話番号データを、データ出力部６３により専用回線７を介してページングセンター４に出力する処理を制御する機能を有している。計時部６１１は、現在時刻を計時してその時刻情報をメインフレーム内の図示しないワークエリアに出力する機能を有している。
【００６７】
データ入出力部６２は、公衆回線網３に接続され、その公衆回線網３に接続されている公衆電話２から、クイズメッセージ、及び正解メッセージを特定するために設定されている問題番号に対応する、連絡先電話番号を入力するとともにメインフレーム６１で生成されたアナウンス情報を公衆電話２に対して応答（出力）する機能を有している。
【００６８】
データ出力部６３は、専用回線７を介してページングセンター４に接続され、メインフレーム６１の制御によりクイズ情報サービスに際して４ｔｈアドレス（情報サービス（クイズ）用呼出番号）、問題番号データ、クイズメッセージデータ、正解メッセージデータ、及び問題番号別に設定されている連絡先電話番号データを専用回線７を介してページングセンター４に出力する。
【００６９】
契約者メモリ６４は、図１の呼出対象となるグループＸ，Ｙ，Ｚに属するページャー１Ａ〜１Ｉ毎の各契約者の情報として図４に示すように、このクイズ情報サービスの提供を契約している加入者名と、顧客管理のための個人情報（住所、連絡先、職業、勤務（通学）地、年齢、誕生日、銀行等の口座番号等）と、契約対象ページャーと、呼出番号（１ｓｔアドレス用）と、パスワード（個人用）と、１ｓｔアドレスのアドレスデータ（３２ビット）と、クイズ情報サービスの契約期限と、グループ呼出番号（４ｔｈアドレス用）と、パスワード（情報サービス用）と、及びグループアドレスコード（３２ビット）とを対応付けて記憶する記憶媒体であり、これらはメインフレーム６１によって読み出し制御される。
【００７０】
なお、上記パスワード（個人用、情報サービス用）は、高度ページングシステムによる呼び出し料金の従量制の導入により設定されるものであり、いたずらや、無言呼び出し等の被害に遭わないために、各アドレスデータ毎に設定されるものである。
【００７１】
また、２つの呼出番号（１ｓｔアドレス用、４ｔｈアドレス用）のうち、１ｓｔアドレス用の呼出番号は、クイズ情報サービス送信用に設定されているものではなく、加入者が、ページャー１が受信したクイズメッセージに対してページャー１に回答を入力し、この入力された回答が正解だったとき、ページャー１より送信される連絡先電話番号で、公衆電話２と当該情報サービスセンター６とが回線接続された際、後続して入力されるページャー１の呼出番号より、当該クイズメッセージの正解者が、加入者であるか否かを特定するために設定されているものであり、いわば、個人認証のために設定されているものである。
【００７２】
送信スケジュールファイル６５は、図５に示すように、送信プログラムＮｏ．（送信キューを実行するためのプログラムをナンバリングして管理するためのもの）と、送信予定年月日と、送信予定時刻と、送信先呼出番号（グループ呼出番号）と、及びデータベース格納アドレスとを対応付けて記憶する記憶媒体であり、これらはメインフレーム６１によってプログラムＮｏ．毎に読み出し、送信キュー（内部からの送信処理実行要求）の制御に適用される。
【００７３】
データベース６６は、図６に示すように、格納アドレス毎に問題番号データ＋クイズメッセージデータ、あるいは問題番号データ＋正解メッセージデータ＋連絡先電話番号データが設定される記憶媒体であり、これらの情報の作成・設定作業は、当該情報サービスセンターのオペレータにより行われる。このデータベース６６に対するオペレータの作成・設定作業としては、例えば、オペレータがある問題番号を設定し、クイズメッセージを入力すると、自動的に正解メッセージ＋連絡先電話番号の送信プログラムＮｏ．が設定されるものとする。
【００７４】
次いで、図１のページャー１（Ａ〜Ｉ）の内部の回路構成のブロック図を図７に示す。
【００７５】
同図において、ページャー１（Ａ〜Ｉ）はアンテナ１０１、受信部１０２、デコーダー１０３、ＣＰＵ１０４、デインターリーブ回路１０５、バッファメモリ１０６、ＢＣＨデコーダー１０７、ドライバ１０８、表示部１０９、キー入力部１１０、ＩＤ−ＲＯＭ１１１、ＲＡＭ１１２、ＲＯＭ１１３、ドライバ１１４、ＬＥＤ１１５、送信バッファ１１６、Ｄ／Ａ変換部１１７、アンプ１１８及びスピーカー１１９等により構成されている。
【００７６】
アンテナ１０１は、図１のページングセンター４により送信アンテナ５から上記図３５に示したフォーマットで送信されるデータを受信して受信部１０２に出力する。
【００７７】
受信部１０２は、デコーダー１０３に接続され、このデコーダー１０３からの制御信号に基づいて駆動し、受信データの復調及び検波を行う。この受信部１０３は、図３５の同期部１（Ｓ１）Ｃ１を取り込むことによって２値あるいは４値の変調方式に従ってシリアルのビットデータをデコーダー１０３に選択出力する。
【００７８】
デコーダー１０３は、受信部１０２から入力される２値あるいは４値のシリアルのビットデータを８ビットのパラレルデータに並び換えてバスＢに出力する。また、デコーダー１０３は、ＣＰＵ１０４による受信されたアドレスデータと、ＩＤ−ＲＯＭ１１１に登録されたアドレスデータとの照合の後、一致の際に出力される検出信号を受け取ると、一致したアドレスデータが含まれるフレームのベクトルフィールド及びメッセージフィールドの全データの継続受信を受信部１０２に指示する機能を有している。
【００７９】
ＣＰＵ（Central Processing Unit ）１０４は、ＲＯＭ１１２に格納されている各種制御プログラムに基づいて着信したビットデータを解析するとともに、キー入力部１１０から入力される各種制御信号に応じてページャー１内の各回路部を制御する。
【００８０】
デインターリーブ回路１０５は、上記デコーダー１０３より出力された２値あるいは４値の８ビットの各パラレルビットデータについて、それぞれのフレームパターンに応じて、フェーズ毎に分離して復元処理し、バスラインＢに出力する回路である。
【００８１】
バッファメモリ１０６は、自己フレームにおける最大１フレーム分（インターリーブブロック部Ｄ２）を着信処理終了までブロック単位で一時的に記憶するメモリである。
【００８２】
ＢＣＨデコーダー１０７は、デコーダー１０３で復元処理された１ブロックデータに含まれる１０ビットのＢＣＨ符号と偶数パリティビットを用いて、この１ブロックデータの誤り訂正を施し、エラービット数をＣＰＵ１０４に出力する。
【００８３】
ドライバ１０８は、ＣＰＵ１０４から入力されるメッセージ等の表示情報を表示部１０９に表示させる表示駆動回路である。表示部１０９は、例えば、液晶表示パネル、表示バッファ等で構成され、ドライバ１０８により駆動制御されて液晶パネル上にメッセージ等の情報を表示する。キー入力部１１０は、メインスイッチ、メモリキー、セレクトキー、セットキー等により構成されており、各キー操作に伴う制御信号をＣＰＵ１０４に出力する。
【００８４】
ＩＤ−ＲＯＭ１１１は、図８に示すように、例えばページャー１Ａに設定されるアドレスデータ（３２ｂｉｔ）と、図３５のデータ構成Ｃのベクトルフィールド（ＶＦ）Ｃ６に設定されるｖ２、ｖ１、ｖ０、の３ビットのベクトルタイプとを対応づけて記憶する。
【００８５】
例えば、図８に示すページャー１Ａの場合、個別呼出用アドレスデータ＃Ａについて３種類、情報サービス用アドレス＃Ｘについて１種類のアドレスを、呼出し時の設定内容に応じて記憶している。
【００８６】
又、その個別呼出用アドレスデータ＃Ａの設定内容は、個種別をベクトルデータの設定の差異により通常３種類設定しており、詳細には、１ｓｔアドレスデータ（基本呼出し用）、２ｎｄアドレスデータ（デュアルコール用）、３ｒｄアドレスデータ（通番サービス用）が記憶される。又、これらの１ｓｔ〜３ｒｄアドレスは、ＮＰページングサース用（数字メッセージ、フリーワード、定型句）のものである。これらのＮＰページングサービス用アドレスデータのうち、１ｓｔアドレスの呼出番号は、ページャー１Ａの所有者の個人認証のため、ダイアル出力できるものとする。
【００８７】
また、その情報サービス用アドレス＃Ｘは、４ｔｈアドレス（情報サービスを受けるグループ呼出用）用に設定されるものであり、本実施の形態ではクイズ情報サービス用に設定されているものである。
【００８８】
したがって、この４ｔｈアドレスは、当該ページャー１Ａの所有者がページングセンター４で加入者がクイズ情報サービスを申し込むと、ページャー１Ａに書き込まれるものである。
【００８９】
また、この４ｔｈアドレスデータはＩＰページングサービス用であり、上記１ｓｔ〜３ｒｄアドレスとは異なり、漢字かな等で構成された文字情報を受信するためのもので、ベクトルタイプもそのように設定されている。
【００９０】
ＲＡＭ（Random Access Memory）１１２は、図９に示すように、上記ＩＤ−ＲＯＭ１１１に設定される１ｓｔ〜３ｒｄアドレスで着信したメッセージデータを格納するメッセージメモリエリア（ＭＭ）１１２ａと、上記４ｔｈアドレスで着信したデータを格納、管理するクイズ用メモリエリア（ＱＭ）１１２ｂとで構成される。
【００９１】
特に、上記クイズ用メモリエリア（ＱＭ）１１２ｂは、図１０に示すように、格納アドレス毎に、４ｔｈアドレスで着信したデータに基づくデータ内容（１回目，２回目）等を問題番号データと対応付けて格納する。
【００９２】
すなわち、１回目に送信された問題番号データとクイズメッセージデータとその着信時刻、ページャー１（Ａ〜Ｉ）で入力される当該クイズメッセージに対する回答内容を表す入力データ、フラグＡ、２回目に送信された問題番号データと正解メッセージデータとその着信時刻、この問題番号データ、正解メッセージデータとともに受信された連絡先電話番号データ、及びフラグＢとをセットで記憶する。
【００９３】
ＲＯＭ（Read Only Memory）１１３は、表示制御プログラムやその他各種プログラム等を格納する不揮発性の記憶媒体である。
【００９４】
ドライバ１１４は、着呼時にＬＥＤ１１５を点滅させるとともに、アンプ１１８によりスピーカー１１９を報音させる各駆動信号をＬＥＤ１１５及びアンプ１１８に出力する駆動回路である。ＬＥＤ１１５は、着呼時にドライバ１１４により駆動されて、着呼を報知する際に点滅する。
【００９５】
送信バッファ１１６は、スピーカー１１９は、着呼時にドライバ１１４及びアンプ１１８により駆動されて、着呼を報知する際に報音する。
【００９６】
次に、本発明を適用した第１の実施の形態の動作を説明する。
【００９７】
本第１の実施の形態では、▲１▼情報サービスセンター６が専用回線７、ページングセンター４、送信アンテナ５を介してページャー１Ａが属するグループ（グループＸ）に問題番号データ００１とクイズメッセージデータとを送信する。
【００９８】
▲２▼この問題番号データ００１とクイズメッセージデータとを例えばページャー１Ａが受信・格納する。
【００９９】
▲３▼ページャー１Ａは当該ページャー１Ａの所有者（加入者Ａ．Ａ）が入力した当該クイズメッセージに対応する回答として入力された入力データを格納する。
【０１００】
▲４▼問題番号データ００１とクイズメッセージデータとの送信より２４時間が経過した後、情報サービスセンター６は問題番号データ００１と、正解メッセージデータと、連絡先電話番号データとを専用回線７、ページングセンター４、送信アンテナ５を介してページャー１Ａが属するグループ（アドレスデータ＃Ｘのグループ）に送信する。
【０１０１】
▲５▼この問題番号データ００１と正解メッセージデータと連絡先電話番号データとをページャー１Ａが受信・格納する。
【０１０２】
▲６▼ページャー１Ａは当該ページャー１Ａの所有者（加入者Ａ．Ａ）が入力した入力データと、正解メッセージデータとを照合し、一致の場合、情報サービスセンター６との回線を接続させる処理を実行する。
【０１０３】
▲７▼回線接続に伴い、情報サービスセンター６は正解した加入者を特定する。
【０１０４】
という段階にしたがって説明する。
【０１０５】
▲１▼の段階
第１の実施の形態のページング通信システムでは、情報サービスセンター６から上記図１に示したグループＸ〜Ｚに属するページャー１Ａ〜１Ｉに対して、そのグループ分けされたページャー加入者毎にクイズ情報サービスを提供することを目的としており、詳細には情報サービスセンター６からクイズメッセージをページャーグループ毎に定時送信し、このクイズメッセージに対する正解者を特定し、賞品等を提供する等、加入者層に応じてより有用な情報サービスを提供することである。
【０１０６】
図１において、ページャー１Ａ〜１Ｉが属するグループＸ〜Ｚのグループは、そのサービス地域と、加入者の年齢層や性別等で分類されている。すなわち、例えば、ページャー１Ａ〜１Ｃが属するグループＸは、京浜地区、１６〜１８歳：女性、ページャー１Ｄ〜１Ｆが属するグループＹは、多摩地区、２０〜２２歳：男性、ページャー１Ｇ〜１Ｉが属するグループＺは、臨海副都心、３０〜３５歳：女性、等で分類されている。
【０１０７】
まず、上記図３の情報サービスセンター６におけるシステム処理について図１１に示すフローチャートに基づいて説明する。
【０１０８】
情報サービスセンター６においてメインフレーム６１の処理は、常時、待機状態にあり、送信キューの実行処理を待っている場合（ステップＳ１、ステップＳ９〜ステップＳ１３）と、契約者からの回線接続（外部からの通信要求）を待っている場合（ステップＳ２〜ステップＳ７）と、に大別される。
【０１０９】
この内、▲１▼の段階では送信キューの実行処理を待っている場合（ステップＳ１、ステップＳ９〜ステップＳ１３）が適用される。
【０１１０】
すなわち、図１１のシステム処理において、情報サービスセンター６のメインフレーム６１は、まず、上記クイズ情報サービスを提供するため、予め送信スケジュールファイル６５に設定されたクイズメッセージデータの一斉出力処理等を実行するために、その送信スケジュールファイル６５の設定内容に基づいて送信キューを実行させるためのデータ送信タイミング（送信年月日、送信時刻）を検出し（ステップＳ１）、そのデータ送信タイミングを検出すると、送信スケジュールファイル６５に設定された当該送信キューに対応するプログラムＮｏ．とデータベース格納アドレスとに基づいて、メインフレーム６１内のハードディスクに格納された当該プログラムＮｏ．の送信プログラムを起動する（ステップＳ９）。
【０１１１】
次いで、送信スケジュールファイル６５内に当該送信キューについて設定された情報を検索して（ステップＳ１０）、その設定された格納アドレスを参照してデータベース６６に格納されたデータベース格納アドレスの問題番号データとクイズメッセージデータを読み出す（ステップＳ１１）。
【０１１２】
そして、このステップＳ１１で読み出した問題番号データとクイズメッセージデータと、送信スケジュールファイル６５内に当該送信キューについて設定された送信先呼出番号データ（グループアドレス呼出番号データ）とを図１２に示すようにパケット状の送信データ構成（グループ呼出番号データ＋問題番号データ＋クイズメッセージデータ）を構成してデータ出力部６３へセットし（ステップＳ１２）、この送信データをデータ出力部６３から専用回線７を介してページングセンター４に出力させて（ステップＳ１３）、ステップＳ１の処理に戻る。
【０１１３】
この時、ページングセンター４からグループＸに属するページャー１（Ａ〜Ｃ）に送信されるメッセージフィールド（ＭＦ）Ｃ７のデータ構成を図１３に示す。すなわち、▲１▼の段階（１回目）では図１３に示す送信データ構成（表示制御情報データ＋問題番号データ＋クイズメッセージデータ）として、ページングセンター４からグループＸに属するページャー１（Ａ〜Ｃ）に送信される。
【０１１４】
すなわち、図５の送信スケジュールファイル６５において、最初の送信キューに対応するの設定内容により、情報サービスセンター６では、プログラムＮｏ．１の送信プログラムが、送信予定年月日：９７．０３．１５の送信予定時刻：１０：００ＡＭに起動され、送信先呼出番号（グループ呼出番号）データ：１１１１−２２−３３３３により上記図１２の送信データが構成されてページングセンター４に送信されると、ページングセンター４からグループＸのページャー１（Ａ〜Ｃ）に対してクイズメッセージデータが送信される。
【０１１５】
なお、図１２に示したデータ構成は、高度ページング方式において標準規格「ＲＣＲ  ＳＴＤ−４３」で規定された上記図３５のデータ構成に基づくものではなく、専用回線７を介して接続された情報サービスセンター６とページングセンター４との間で独自に規定されたデータ構成規格に基づいて作成されるものである。
【０１１６】
また、図１３に示したデータ構成は、情報サービスセンター６からページングセンター４に対して図１２のデータ構成で送信されたデータを、ページングセンター４内でＲＣＲ  ＳＴＤ−４３で規定された上記図３５のデータ構成に基づいて作成されるものである。
【０１１７】
したがって、▲１▼の段階では情報サービスセンター６において、以上のステップＳ９〜ステップＳ１３の送信キューに係る処理を実行することにより、その送信スケジュールファイル６５に予め設定された送信キューを動作させるための送信予定年月日と、送信予定時刻と、送信先呼出番号データ（グループアドレス呼出番号）と、及びデータベース６６内の格納アドレスとに基づいて、データベース６６に予め記憶されたクイズメッセージデータが、まず、グループＸのページャー１（Ａ〜Ｃ）に対して送信される。
【０１１８】
▲２▼の段階
上記情報サービスセンター６におけるシステム処理によりページングセンター４から問題番号データ、及びクイズメッセージデータを受信したページャー１Ａの着信処理について図１５〜図１７に示すフローチャートに基づいて説明する。
【０１１９】
ページャー１Ａ内のＣＰＵ１０４は、電源スイッチの操作による電源投入後、各回路部の初期化設定や制御データの設定を実行してフレームＮｏ．０（時刻補正情報が格納されているフレーム）、及び自己フレームをサーチし、フレーム同期が取れると、間欠受信待機状態に入る。そして、まずＣＰＵ１０４は、キー入力部１１０における所定のキー操作による読み出しモード入力の検出の有無を監視する（ステップＳ２１）。
【０１２０】
すなわち、まず、着信処理では、上記情報サービスセンター６から送信スケジュールによりページングセンター４を介して送信されるクイズメッセージの着信処理に際して、ＲＡＭ１１２内のクイズ用メモリエリア（ＱＭ）１１２ｂに格納したクイズメッセージの読み出す読み出しモード指示を検出したか否かがチェックされる。
【０１２１】
この読み出しモード検出処理において読み出しモード指示を検出しなければ、間欠着信処理によりアンテナ１０１によりページングセンター４から送信アンテナ５を介して無線で送信される自己フレームの変調波が受信されて受信部１０２に出力され、更に検波、復調して、デコーダー１０３に出力する。
【０１２２】
デコーダー１０３は、受信部１０２より入力された伝送速度に応じたシリアルデータを８ｂｉｔのパラレルデータに並び換えてバスＢに出力する。この後ＣＰＵ１０４が、デコーダー１０３から出力される８ｂｉｔのパラレルデータを取り込み（ステップＳ２３）、ＩＤ−ＲＯＭ１１１に登録されたアドレスデータとアドレスフィールド（ＡＦ）Ｃ５内のパラレルデータとを照合して、そのＩＤコードに含まれるアドレスデータが自己のアドレスデータとが一致するか否かを検出する（ステップＳ２４）。一致しなければ、ステップＳ２１の処理に戻り、一致した際には、一致信号を出力して、デコーダー１０３に対し、このフレーム内のデータを全て受信するよう受信部１０２の受信動作を継続させる。
【０１２３】
続いて情報サービスセンター６からページングセンター４及び送信局アンテナ５を介して送信された１フレームのデータを全て取り込む。そして、先に照合一致を検出したアドレスデータが４ｔｈアドレスか否かを検出する（ステップＳ２５）。４ｔｈアドレスであれば、そのフレーム内のメッセージフィールド（ＭＦ）Ｃ７から自己宛メッセージデータを読み出して解析する（ステップＳ２６）。この時、ＣＰＵ１０４は、上記情報サービスセンター６からページングセンター４により送信され、４ｔｈアドレスで着信したメッセージデータが、クイズメッセージデータを含む上記図１３の１回目の送信データ構成（表示制御情報データ＋問題番号データ＋クイズメッセージデータ）か、あるいは上記図１４の２回目の送信データ構成（表示制御情報データ＋問題番号データ＋正解メッセージデータ＋連絡先電話番号データ）かを問題番号データを読み出し（ステップＳ２７）、この問題番号データに対応するクイズメッセージデータがＲＡＭ１１２内のクイズ用メモリエリア（ＱＭ）１１２ｂに既に格納されているか否かで判別するが（ステップＳ２８）、当該▲２▼の段階においては、クイズ用メモリエリア（ＱＭ）１１２ｂには、図１０に示されるようにクイズメッセージが格納されていない状態であるので、ステップＳ２８で「Ｎｏ」と判断され、ステップＳ５１に移行して受信した問題番号データとともにクイズメッセージデータを、図１８に示すようにクイズ用メモリエリア（ＱＭ）１１２ｂ内に格納アドレスと対応付けて格納する。図１８に示すクイズ用メモリエリア（ＱＭ）１１２ｂ内の格納アドレス１には、問題番号データに対応する問題番号「００１」、クイズメッセージデータに対応して表示部１０９に表示されるクイズメッセージ「日本一高い山は？（１）阿蘇山、（２）…」、着信時刻データ「９７．０３．１５  １０：００ＡＭ」が格納された状態を示している。
【０１２４】
この後、着信報知と共に着信した問題番号「００１」、クイズメッセージ「日本一高い山は？（１）阿蘇山、（２）…（…以降は省略しているが、選択式の回答内容が順次複数表示される。）」、着信時刻を表示部１０９に表示して（ステップｓ５２）、着信処理を終了し、再びフレームＮｏ．０のフレームと、自己フレームの送信タイミングのみ受信部を駆動させる間欠受信状態へ戻る。
【０１２５】
▲３▼の段階
上記ステップＳ５２で問題番号「００１」、クイズメッセージ「日本一高い山は？（１）阿蘇山、（２）…」、着信時刻を表示部１０９に表示しているとき、もしくは、ステップＳ２１において読み出しモード指示を検出し、さらに、キー入力部１１０からのクイズメッセージの読み出しモード指示の入力有無の検出において、クイズメッセージの読み出しモード指示を検出した場合は、図１７のステップＳ６１に移行して、先の１回目の着信処理によりＲＡＭ１１２内のクイズ用メモリエリア（ＱＭ）１１２ｂに格納済みのクイズメッセージデータを読み出して表示部１０９に表示させ（ステップＳ６２）、このクイズメッセージに対するキー入力部１１０からの回答入力の有無を検出する（ステップＳ６３）。
【０１２６】
すなわち、上記図１８に示したクイズ用メモリエリア（ＱＭ）１１２ｂ内の着信データ内容（１回目）に格納したクイズメッセージデータ「日本一高い山は？（１）阿蘇山、（２）…」が表示部１０９に表示された場合、その回答入力の際には、「（１）阿蘇山、（２）…」の中から回答番号の選択入力を検出することにより判断する。この場合、例えば、「（２）富士山（記載では省略しているが“（２）”以降に“富士山”というメッセージが格納されている。）」が設定されており、回答番号として「（２）」が入力されたことを検出すると、この回答番号「（２）」を、図１９に示すように、クイズ用メモリエリア（ＱＭ）１１２ｂ内の当該問題番号に対応する回答内容として入力データ欄に「（２）」を格納するとともに（ステップＳ６４）、その対応するフラグＡ欄に「１」をセットする（ステップＳ６５）。そして、フラグＡ欄に「１」がセットさせると、この問題番号「００１」に対応するクイズメッセージについては、回答の入力は終了したものとして、回答の再入力、及び修正を禁じ、自動的にステップＳ２１の間欠受信状態へ戻る。
【０１２７】
また、ステップＳ６１において、キー入力部１１０からのクイズメッセージの読み出しモード指示の入力がなければ、ステップＳ６６に移行して通常メッセージの読み出しモードを実行する。すなわち、通常のメッセージ着信処理によりＲＡＭ１１２内のメッセージメモリエリア（ＭＭ）１１２ａに既に格納されているメッセージデータの読み出し処理に関するシーケンスを実行して、この読み出し処理の終了を検出するとステップＳ２１の間欠受信状態へ戻る。
【０１２８】
なお、▲３▼の段階を省略してクイズメッセージに対する回答が入力されない場合、上記フラグＡ欄には何もセットされず、図２１に示されるように後述の正解メッセージが着信した時点でフラグＡ欄に「０」がセットされて回答未入力と判断し、連絡先電話番号データをクイズ用メモリエリア（ＱＭ）１１２ｂから消去する。
【０１２９】
▲４▼の段階
上記▲１▼の段階より２４時間後、情報サービスセンター６は図１１のシステム処理を再度実行し、グループＸに対し、今度は先の送信した問題番号「００１」のクイズメッセージに対する正解メッセージと連絡先電話番号とを送信する。
【０１３０】
すなわち情報サービスセンター６は、送信スケジュールファイル６５に格納されるプログラムＮｏ．０２の送信キューを実行する。
【０１３１】
このシステム処理は、上記▲１▼の段階と同様のものであるが、送信するデータは、上記▲１▼の段階で送信された図１３に示されるデータ構成とは異なり、図１４に示されるような送信データ構成（表示制御情報データ＋問題番号データ＋正解メッセージデータ＋連絡先電話番号データ）が、ページングセンター４からグループＸに属するページャー１（Ａ〜Ｃ）に送信される。
【０１３２】
▲５▼の段階
次に、上記情報サービスセンター６におけるシステム処理によりページングセンター４から問題番号データ、正解メッセージデータ、及び連絡先電話番号データを受信したページャー１Ａの着信処理について図１５〜図１７に示すフローチャートに基づいて説明する。
【０１３３】
尚、この着信処理において、ステップＳ２１からステップＳ２７までの処理は、上記▲２▼の段階で詳述した内容と同様なので省略する。
【０１３４】
さて、上記情報サービスセンター６からページングセンター４により送信され、４ｔｈアドレスで着信したメッセージデータの問題番号データを読み出した際、この問題番号データに対応するクイズメッセージデータがＲＡＭ１１２内のクイズ用メモリエリア（ＱＭ）１１２ｂに既に格納されているか否かで判別するが（ステップＳ２８）、先の▲２▼の段階でこの問題番号データとクイズメッセージデータとをクイズ用メモリエリア（ＱＭ）１１２ｂに格納しているので「Ｙｅｓ」と判断され、この受信した問題番号データと正解メッセージデータ、着信時刻データ及び連絡先電話番号データを、クイズ用メモリエリア（ＱＭ）１１２ｂ内の当該問題番号データのクイズメッセージデータと対応付けて格納して（ステップＳ２９）、図１６のステップＳ３０に移行する。
【０１３５】
▲６▼の段階
さて、図１６のステップＳ３０において、ＣＰＵ１０４はクイズ用メモリエリア（ＱＭ）１１２ｂ内の当該問題番号データのフラグＡ欄に「１」がセットされているか否かを確認する。すなわち、上記▲３▼の段階での上記ステップＳ６１〜ステップＳ６５の処理により問題番号データ欄「００１」に対応するフラグＡ欄に「１」がセットされていれば、この問題番号「００１」に対するページャー加入者の回答が入力済みであることを意味し、フラグＡ欄に「０」がセットされていれば、ページャー加入者の回答が未入力であることを意味している。
【０１３６】
クイズ用メモリエリア（ＱＭ）１１２ｂ内のフラグＡ欄に「１」がセットされていれば、そのフラグＡ欄に対応する入力データ欄に格納されている入力データと正解メッセージデータ欄に格納されている正解メッセージデータとを照合して（ステップＳ３１）、その各内容の一致を判別する（ステップＳ３２）。一致していれば、入力データと正解メッセージデータが一致したことを示すため、図２０に示すように、クイズ用メモリエリア（ＱＭ）１１２ｂ内の問題番号「００１」に対応するフラグＢ欄に「１」をセットする（ステップＳ３３）。
【０１３７】
次いで、図２０の正解メッセージデータ欄と連絡先電話番号データ欄にそれぞれ格納されているデータ基づいて、正解メッセージ「（２）」と連絡先電話番号「００００  ００  ００００−０１」とを表示部１０９に表示して（ステップＳ３４）、問題番号「００１」に対する正解メッセージと情報サービスセンター６の連絡先電話番号とをページャー加入者に知らせる。そして、この連絡先電話番号「００００  ００  ００００−０１」と自己の１ｓｔアドレス用の呼出番号「１２３４−５６−７８９０」とを送信バッファ１１６にセットし（ステップＳ３５）、送信待機状態とする（ステップＳ３６）。
【０１３８】
この送信待機状態において、キー入力部１１０における加入者のダイアルキー操作の有無を検出し（ステップＳ３７）、ダイアルキー操作を検出すれば、送信バッファ１１６にセットした連絡先電話番号「００００ ００ ００００−０１」であるＤＴＭＦデータをＤ／Ａ変換部１１７によりＤ／Ａ変換してアナログのＤＴＭＦ信号に変換して、アンプ１１８によりスピーカー１１９からＤＴＭＦ音を出力させる（ステップＳ３８）。このＤＴＭＦ音を出力するスピーカー１１９を図１に図示される公衆電話２の送話器に近付けることにより、この公衆電話２から公衆回線網３を介して情報サービスセンター６に回線接続要求することができる。
【０１３９】
そして、この公衆電話から情報サービスセンター６への発呼により、公衆電話２と情報サービスセンター６との間の回線が接続状態となったことを確認した後（ステップＳ３９）、さらにキー入力部１１０における加入者のダイアルキー操作の有無を検出し（ステップＳ４０）、ダイアルキー操作を検出すれば、送信バッファ１１６にセットした自己の１ｓｔアドレス用の呼出番号「１２３４−５６−７８９０」であるＤＴＭＦデータをＤ／Ａ変換部１１７によりＤ／Ａ変換してアナログのＤＴＭＦ信号に変換して、アンプ１１８によりスピーカー１１９からＤＴＭＦ音を出力させて（ステップＳ４１）、ステップＳ２１の間欠受信状態へ戻る。
【０１４０】
このＤＴＭＦ音を出力するスピーカー１１９を図示しない電話機の送話器に近付けることにより、この公衆電話２から公衆回線網３を介して情報サービスセンター６に１ｓｔアドレスを送出することができる。
【０１４１】
また、上記ステップＳ３０の処理において、問題番号データ欄「００１」に対応するフラグＡ欄に「１」がセットされていなければ、ページャー加入者の回答が未入力であることを意味し、ステップＳ４５に移行して、図２１に示すように、クイズ用メモリエリア（ＱＭ）１１２ｂ内の問題番号データ欄「００１」に対応するフラグＡ欄に「０」をセットする。そして、問題番号データ欄「００１」に対する回答が未入力であることと、クイズ用メモリエリア（ＱＭ）１１２ｂ内の問題番号データ欄「００１」に対応する着信データ内容（２回目）の正解メッセージデータ欄に格納されている正解番号データ「（２）」に基づく正解メッセージデータ（２）とを表示部１０９に表示し（ステップＳ４６）、その着信データ内容（２回目）の連絡先電話番号データ欄に格納されている連絡先電話番号「００００  ００  ００００−０１」を消去して（ステップＳ４７）、ステップＳ２１の間欠受信状態へ戻る。
【０１４２】
また、上記ステップＳ３２の処理において、クイズ用メモリエリア（ＱＭ）１１２ｂ内の問題番号「００１」に対応する入力データ欄に格納されている入力データと正解メッセージデータ欄に格納されている正解メッセージデータとの照合結果が一致していなければ、図２２に示すように、そのクイズ用メモリエリア（ＱＭ）１１２ｂ内の問題番号データ欄「００１」に対応するフラグＢ欄に「０」をセットする（ステップＳ４２）。そして、問題番号データ欄「００１」に対する回答が「ハズレ」であることを表示部１０９に表示し（ステップＳ４３）、その着信データ内容（２回目）の連絡先電話番号データ欄に格納されている連絡先電話番号データ「００００  ００  ００００−０１」を消去して（ステップＳ４４）、ステップＳ２１の処理に戻る。
【０１４３】
尚、ステップＳ３３でフラグＢ欄に「１」がセットされた際は、当該クイズメッセージに正解したことを通常とは異なる報知音（ファンファーレのようなメロディ）で着信報知させ、これとは逆にフラグＢ欄に「０」がセットされた際は、当該クイズメッセージに対し不正解、もしくは未回答であることを正解の時とは通常とは異なる報知音で着信報知させてもよい。
【０１４４】
また上述の着信処理において、上記ステップＳ２５の処理において、受信したアドレスフィールド（ＡＦ）Ｃ５内の８ｂｉｔのパラレルデータが４ｔｈアドレス（グループ呼出番号）でなく、通常の自己の呼出番号である１ｓｔアドレス、あるいはデュアルコール用の２ｎｄアドレスデータ、あるいは通番サービス用の３ｒｄアドレスデータである場合は、これらに後続して取り込まれるデータをＲＡＭ１１２内のメッセージメモリエリア（ＭＭ）１１２ａに格納する（ステップＳ４８）。そして、そのメッセージメモリエリア（ＭＭ）１１２ａに格納した自己宛のメッセージデータの内容を解析して（ステップＳ４９）、ドライバ１１４により駆動されるＬＥＤ１１５の点滅、あるいはスピーカー１１９の報知音により着信を報知するとともに、解析したメッセージを表示部１０９に表示して（ステップＳ５０）、ステップＳ２１の間欠受信状態へ戻る。
【０１４５】
▲７▼の段階
次に、上記▲６▼の段階でのクイズメッセージの正解に伴う、公衆回線３を介しての回線接続を検出した場合の情報サービスセンター６のシステム処理について、図１１のフローチャートを用いて詳述する。
【０１４６】
情報サービスセンター６は常に送信スケジュールファイル６５に記憶された送信キューの実行処理を待機しているが、ステップＳ１において送信キューを動作させるためのデータ送信タイミングを検出しないと、公衆回線網３を介して公衆電話２あるいはページャー１Ａ〜１Ｉからの回線接続（通信要求）の有無を検出する（ステップＳ２）。回線接続がなければステップＳ１の処理に戻り、公衆回線網３を介して回線接続を検出すると、その回線接続に際し相手から送信されてきた連絡先電話番号の末尾番号２桁より、この抽出した末尾番号と図５のデータベース６６の記憶内容を照合して（ステップＳ３）、その末尾番号が一致するデータがデータベース６６に記憶されているか否かを判別する（ステップＳ４）。
【０１４７】
すなわち、この時ページャー１Ａ〜１Ｉから回線接続（通信要求）があり、その回線接続に際し送られてくる２桁の末尾番号とデータベース６６内に記憶されている問題番号の連絡先番号の末尾２桁とを照合することにより、正解したクイズメッセージを判別するものである。
【０１４８】
上記照合の結果、一致する末尾番号のデータがデータベース６６に記憶されていなければ、メインフレーム６１内のアナウンス用音声合成回路により“契約者ではないか該当する問題がありません”といったアナウンスメッセージを、情報サービスセンター６内でメインフレーム６１を操作するオペレータに通知して（ステップＳ８）、オペレータに対して当該クイズを送信したページャー加入者への何等かの対応を促して、ステップＳ１の処理に戻る。
【０１４９】
また、ステップＳ４において一致する末尾番号のデータがデータベース６６に記憶されていれば、後続して受信される相手先の呼出番号（１ｓｔアドレス）と契約者メモリ６４内の呼出番号（１ｓｔアドレス）欄に記憶されている呼出番号とを照合して（ステップＳ５）、該当する契約者であるか否かを判別する（ステップＳ６）。該当する契約者でなければ、メインフレーム６１内のアナウンス用音声合成回路により“契約者ではないか該当する問題がありません”といったアナウンスメッセージを、情報サービスセンター６内でメインフレームを操作するオペレータに通知して（ステップＳ８）、オペレータに対して当該クイズを送信したページャー加入者への何等かの対応を促して、ステップＳ１の処理に戻る。
【０１５０】
また、回線接続した相手が契約者であれば、その契約者の個人情報を契約者メモリ６４内の個人情報欄から読み出してメインフレーム６１の表示部に表示して（ステップＳ７）、回線接続した相手が当該クイズを回答した契約者であり、その個人情報をオペレータに見せて、ステップＳ１の処理に戻る。
【０１５１】
契約者の承認がとれた情報サービスセンター６のこの後の処理としては、例えば、クイズ情報サービスの一環として懸賞付クイズでプレゼントをページャー加入者に与えたり、クイズに正解することで正解したページャーに付加機能を拡張するよう無線データを送信する等のサービスを提供することも可能である。
【０１５２】
したがって、本第１の実施の形態のページング通信システムでは、単なるメッセージの着信、表示のみの機能を提供するだけではなく、ページャー加入者が事業者に要求するページングシステムを利用した一種の遊び的要素に答えることができる。その結果、本第１の実施の形態のページング通信システムにおいて、情報サービスセンター６からグループ分けされたページャー１Ａ〜１Ｉに対して提供可能なページング情報のサービス形態としては、上記クイズ情報サービスの提供だけにとどまらず、ページャーグループ毎に提供する情報サービスの内容を設定して多様化することが容易に実現でき、加入者層の要求に応じて常に新しいサービスやページャーの新機能を提供することが可能となる。特に、事業者は利用者の中核となりつつある若年層に対して、より有用なページングサービスを提供することが容易にできる。
【０１５３】
（第２の実施の形態）
図２３〜図３２は、本発明のデータ通信システムを適用した第２の実施の形態のページング通信システムを示す図である。
【０１５４】
なお、本第２の実施の形態のページング通信システム構成は、上記第１の実施の形態の図１に示したページング通信システム構成と同一であるため、そのページング通信システム内の各部の構成の図示及び説明は省略する。したがって、以下の図２３〜図２６により異なる構成部分のみを示して説明する。
【０１５５】
図２３は、本第２の実施の形態の情報サービスセンター６内に設けられるデータベース６６内のメモリ構成を示す図であり、格納アドレス毎に問題番号＋クイズメッセージデータ＋正解メッセージデータ＋連絡先電話番号（末尾２桁）が設定される記憶媒体であり、これらの情報の設定作業は、情報サービスセンター６に常駐するオペレータにより行われる。
【０１５６】
このデータベース６６内に設定された情報は、図２４に示すデータ構成の送信データとして構成されて情報サービスセンター６から専用回線７を介してページングセンター４に送出される。
【０１５７】
図２５は、本第２の実施の形態の上記図１に示したグループＸ〜Ｚに属するページャー１Ａ〜１Ｉと同一のブロック構成（図７）のＩＤ−ＲＯＭ１１２内のメモリ構成を示す図である。図２５においてＩＤ−ＲＯＭ１１２は、ページャー１Ａ〜１Ｉに設定されるアドレスデータ（３２ｂｉｔ）は、例えば、個別呼出用アドレスデータ＃Ａを３種類、情報サービス用アドレス＃Ｘを１種類の各設定内容で構成される。その個別呼出用アドレスデータ＃Ａの設定内容は、ベクトルデータの設定の差異により３種類の内容が設定可能であり、その設定内容としては、１ｓｔアドレスデータ、２ｎｄアドレスデータ（デュアルコール用）、３ｒｄアドレスデータ（通番サービス用）であり、これらの１ｓｔ〜３ｒｄアドレスデータは、ＮＰページングサース用（数字メッセージ、フリーワード、定型句）のものである。これらのＮＰページングサース用アドレスデータのうち、１ｓｔアドレスの呼出番号は、ページャーの認証のためダイアル出力できるものとする。
【０１５８】
また、その情報サービス用アドレス＃Ｘの設定内容は、４ｔｈアドレスデータ（情報サービス（クイズ）を受けるグループ呼出用）であり、ページングセンター４で、加入者がクイズ情報サービスの申し込みを行うと、書き込まれるものである。この４ｔｈアドレスデータは、ＩＰページングサービス用であり、文字情報受信用である。この４ｔｈアドレスには、連絡先用電話番号として情報サービスセンター６の電話番号が対応付けて設定されている。この連絡先用電話番号は、ページャー１から情報サービスセンター６に対してデータを送信する際に、情報サービスセンター６に回線接続するために利用される。この情報サービスセンター６への回線接続に際しては、先に情報サービスセンター６からクイズメッセージを受信した際に、クイズ用メモリエリア（ＱＭ）１１２ｂに格納した連絡先電話番号（末尾２桁）が連結されて送信されることにより、どの問題番号のクイズメッセージに正解したか特定できるようになっている。
【０１５９】
図２６は、本第２の実施の形態の上記図１に示したグループＸ〜Ｚに属するページャー１Ａ〜１Ｉと同一のブロック構成（図７）のＲＡＭ１１２内のクイズ用メモリエリア（以下、ＱＭという）１１２ｂ内のメモリ構成を示す図である。図２６においてクイズ用メモリエリア（ＱＭ）１１２ｂは、格納アドレス毎に、着信データ内容等を格納し、問題番号データと対応付けて、送信されたクイズメッセージデータ、正解メッセージデータ及び連絡先電話番号データ（末尾２桁）とその着信時刻データ、着信時刻に基づいて設定される回答期限データとを記憶するとともに、入力される回答内容を入力データとして記憶し、その回答の有無をフラグＡに記憶し、その回答の正解の成否をフラグＢに記憶する。
【０１６０】
また、本第２の実施の形態の上記図１に示したグループＸ〜Ｚに属するページャー１Ａ〜１Ｉと同一のブロック構成（図７）のＣＰＵ１０４内には、図示はしないが既知の計時手段を備え、情報サービスセンター６から送信されるクイズメッセージを受信した時に、図示しないがそのクイズメッセージの回答期限を設定する回答期限タイマが格納される。この回答期限タイマにより設定される回答期限は、例えば、クイズメッセージを受信した着信時刻から２４時間後である。
【０１６１】
次に、本第２の実施の形態の動作を説明する。
【０１６２】
まず、情報サービスセンター６におけるシステム処理について説明する。
【０１６３】
情報サービスセンター６においてメインフレーム６１は常時、待機状態にあり、送信キューの実行処理を絶えず待っている場合と、契約者からの回線接続を待っている場合とに大別される。
【０１６４】
すなわち、図１１に示したシステム処理と同様に情報サービスセンター６のメインフレーム６１は、まず、予め上記送信スケジュールファイル６５に設定された送信時刻毎の問題番号データ＋クイズメッセージデータ＋正解メッセージデータ＋連絡先電話番号（末尾２桁）データの一斉出力処理等を実行するために、その送信スケジュールファイル６５に基づいて送信キューを動作させるためのデータ送信タイミングを検出すると、送信スケジュールファイル６５に設定された当該送信キューのプログラムＮｏ．に基づいて、メインフレーム６１内のハードディスクに格納された当該プログラムＮｏ．の送信プログラムを起動する。
【０１６５】
次いで、送信スケジュールファイル６５内に当該送信キューについて設定された情報を検索し、その設定された格納アドレスを参照してデータベース６６に格納された当該格納アドレスの問題番号データ、クイズメッセージデータ、正解メッセージデータ、及び連絡先電話番号（末尾２桁）データを読み出しこれらのデータと、送信スケジュールファイル６５内に当該送信キューについて設定された送信先呼出番号（グループアドレス呼出番号）とを図２４に示したように送信データ構成（表示制御情報データ＋問題番号データ＋クイズメッセージデータ＋正解メッセージデータ＋連絡先電話番号（末尾２桁）データ）を構成してデータ出力部６３へセットして、この送信データをデータ出力部６３から専用回線７を介してページングセンター４に出力させる。
【０１６６】
この時、ページングセンター４では、情報サービスセンター６かせ受信した図２４に示した送信データ構成に基づいて図３５に示した標準規格「ＲＣＲ  ＳＴＤ−４３」で規定された送信データが構成されて、送信アンテナ５を介してグループＸ〜Ｚ毎のページャーＩＡ〜１Ｉにグループ送信される。
【０１６７】
次に、上記情報サービスセンター６におけるシステム処理によりページングセンター４から問題番号データ、クイズメッセージデータ、正解メッセージデータ、及び連絡先電話番号（末尾２桁）データを受信するページャー１Ａ〜１Ｉ側の着信処理について図２７、図２８に示すフローチャートに基づいて説明する。なお、本第２の実施の形態の着信処理においては、上記第１の実施の形態のページャーの着信処理中に示した図１６の回答データの送信処理（ステップＳ３０〜ステップＳ４７）部分も含まれるが、その重複する処理のフローチャートの図示は省略する。
【０１６８】
ページャー１Ａ〜１ＩのＣＰＵ１０４は、キー入力部１１０の電源スイッチの操作による電源投入後、各回路部の初期化設定や制御データの設定を実行して間欠受信待機状態に入る。そして、まずＣＰＵ１０４は、キー入力部１１０における所定のキー操作による読み出しモード入力の検出の有無を監視する（ステップＳ７１）。
【０１６９】
すなわち、まず、着信処理では、上記情報サービスセンター６から送信スケジュールによりページングセンター４を介して送信されるクイズメッセージの着信処理に際して、ＲＡＭ１１２内のクイズ用メモリエリア（ＱＭ）１１２ｂに格納したクイズメッセージの読み出す読み出しモード指示を検出したか否かがチェックされる。
【０１７０】
この読み出しモード検出処理において読み出しモード指示を検出しなければ、ＣＰＵ１０４内に格納する回答期限タイマが動作しており、この回答期限タイマにより設定された回答期限（２４時間）が近付いているか、例えば回答期限１０分前か否かを判別する（ステップＳ７２）。回答期限（２４時間）が近付いていれば、ドライバ１１４によりスピーカー１１９からアラーム音を報知させて、回答期限が近付いていることをページャー加入者に報知して（ステップＳ８７）、クイズ用メモリエリア（ＱＭ）１１２ｂに記憶したクイズメッセージデータを表示部１０９に表示して（ステップＳ８２）、ステップＳ７１の処理に戻る。
【０１７１】
回答期限が近付いていなければ、間欠着信処理によりアンテナ１０１によりページングセンター４から送信アンテナ５を介して無線で送信される変調波（アドレスデータ、メッセージデータ、記録時刻等）が受信されて受信部１０２に出力されると、受信部１０２では、デコーダー１０３の制御に従って、ＩＤデータの内フレームデータで設定された自己フレームのタイムスロットで間欠駆動し、アンテナ１０１により受信された信号を検波、復調して、デコーダー１０３に出力する。
【０１７２】
デコーダー１０３は、受信部１０２より入力された伝送速度に応じたシリアルデータを８ｂｉｔのパラレルデータに並び換えてバスＢに出力する。この後ＣＰＵ１０４が、デコーダー１０３から出力される８ｂｉｔのパラレルデータを取り込み、自己宛のフレームを検出する（ステップＳ７３）。自己フレームが検出できなければ、ステップＳ７１の処理に戻り、自己フレームが検出できれば、そのデータを取り込み（ステップＳ７４）、ＩＤ−ＲＯＭ１１１に登録されたアドレスデータとアドレスフィールド（ＡＦ）Ｃ５内のパラレルデータとを照合して、そのＩＤコードに含まれるアドレスデータが自己のアドレスデータとが一致するか否かを検出する（ステップＳ７５）。一致しなければ、ステップＳ７１の処理に戻り、一致した際には、一致信号を出力して、デコーダー１０３に対し、このフレーム内のデータを全て受信するよう受信部１０２の受信動作を継続させる。
【０１７３】
続いて情報サービスセンター６からページングセンター４及び送信局アンテナ５を介して送信された１フレームのデータを全て取り込み、その取り込んだデータのアドレスが４ｔｈアドレスか否かを判断する（ステップＳ７６）。４ｔｈアドレスであれば、そのフレーム内のデータはクイズ情報サービスであるのでメッセージフィールド（ＭＦ）Ｃ７のデータから自己宛メッセージデータを読み出して解析する（ステップＳ７７）。すなわち、上記情報サービスセンター６からページングセンター４により送信されるクイズメッセージデータを含む上記図２４の送信データ構成（表示制御情報データ＋問題番号データ＋クイズメッセージデータ＋正解メッセージデータ＋連絡先電話番号（末尾２桁）データ）かを解析して、その問題番号データを読み出し（ステップＳ７８）、この問題番号データに対応するデータがＲＡＭ１１２内のクイズ用メモリエリア（ＱＭ）１１２ｂに既に格納されているか否かを判別する（ステップＳ７９）。
【０１７４】
この問題番号データに対応するデータがクイズ用メモリエリア（ＱＭ）１１２ｂ内に格納されていなければ、ステップＳ８３に移行して、受信した問題番号データとともにクイズメッセージデータ、正解メッセージデータ及び連絡先電話番号（末尾２桁）データを、図３０に示すようにクイズ用メモリエリア（ＱＭ）１１２ｂ内に格納アドレスと対応付けて格納するとともに、その着信時刻データと当該着信時刻に基づく回答期限データとを格納する。図３０に示すクイズ用メモリエリア（ＱＭ）１１２ｂ内の格納アドレス１には、問題番号データ「００１」、クイズメッセージデータ「日本一高い山は？（１）阿蘇山、（２）…」、着信時刻データ「９７．０３．１５  １０：００ＡＭ」、正解メッセージデータ「（２）」、連絡先電話番号（末尾２桁）「      −０１」データ、及び回答期限データ「９７．０３．１６  １０：００ＡＭ」が格納された状態を示している。
【０１７５】
また、上記問題番号データに対応するデータがクイズ用メモリエリア（ＱＭ）１１２ｂ内に既に格納されていれば、その問題番号データに対応する各欄に格納された各データを全て消去して、今回受信した各項目データを再度書き込む（ステップＳ８０）。そして、図３０に示すその着信時刻「９７．０３．１５  １０：００ＡＭ」から回答期限「９７．０３．１６  １０：００ＡＭ」を設定して（ステップＳ８１）、着信報知と共に、その書き込んだクイズメッセージのみを表示部１０９に表示して（ステップＳ８１）、ステップＳ７１の処理に戻る。
【０１７６】
また、ステップＳ７１において読み出しモード指示を検出した場合は、図２８のステップＳ６１に移行して、さらに、キー入力部１１０からのクイズメッセージの読み出しモード指示の入力有無を検出する。クイズメッセージの読み出しモード指示を検出した場合は、先の着信処理によりＲＡＭ１１２内のクイズ用メモリエリア（ＱＭ）１１２ｂに格納済みのクイズメッセージデータを読み出してクイズメッセージのみを表示部１０９に表示させ（ステップＳ６２）、このクイズメッセージに対するキー入力部１１０からの回答入力の有無を検出する（ステップＳ６３）。
【０１７７】
すなわち、上記図３０に示したクイズ用メモリエリア（ＱＭ）１１２ｂ内に格納したクイズメッセージデータ「日本一高い山は？（１）阿蘇山、（２）…」が表示部１０９に表示された場合、その回答入力の際には、「（１）阿蘇山、（２）…」の中から回答番号を選択入力することにより行われる。この場合、例えば、「（２）富士山」が設定されており、回答番号として「（２）」が入力されたとすると、この回答番号「（２）」を、クイズ用メモリエリア（ＱＭ）１１２ｂ内の当該問題番号「１」に対応する入力データ欄に「（２）」として格納するとともに（ステップＳ６４）、その対応するフラグＡ欄に「１」をセットして（ステップＳ６５）、回答期限欄にセットされた回答期限を消去して（ステップＳ６６）、上記第１の実施の形態の図１６に示したステップＳ３１移行のページャーから情報サービスセンター６への回線接続処理に移行する。
【０１７８】
すなわち、上記ステップＳ６１〜ステップＳ６５の処理により問題番号データ「００１」に対応するフラグＡ欄に「１」がセットされていれば、この問題番号データ「００１」に対するページャー加入者の回答が入力済みであることを意味し、フラグＡ欄に「０」がセットされていれば、ページャー加入者の回答が未入力であることを意味している。
【０１７９】
クイズ用メモリエリア（ＱＭ）１１２ｂ内のフラグＡ欄に「１」がセットされると、そのフラグＡ欄に対応する入力データ欄に格納されている入力データと正解メッセージデータ欄に格納されている正解メッセージデータとを照合して（ステップＳ３１）、その各内容の一致を判別する（ステップＳ３２）。一致していれば、入力データ内容と正解メッセージデータが一致したことを示すため、図３１に示すように、クイズ用メモリエリア（ＱＭ）１１２ｂ内の問題番号「００１」に対応するフラグＢ欄に「１」をセットする（ステップＳ３３）。
【０１８０】
次いで、図３１の正解メッセージデータ欄と連絡先電話番号データ欄に格納されている正解メッセージデータに基づく正解メッセージ「（２）」と、図２５のＩＤ−ＲＯＭ１１１に格納されている連絡先電話番号「００００−００−００００」と連絡先電話番号（末尾２桁）データに対応する連絡先電話番号（末尾２桁）「      −０１」とを連結して表示部１０９に表示して（ステップＳ３４）、問題番号「００１」に対する正解メッセージと連絡先である情報サービスセンター６の連絡先電話番号とがページャー加入者に示される。そして、その表示した連絡先電話番号「００００  ００  ００００−０１」と自己の１ｓｔアドレス用の呼出番号「１２３４−５６−７８９０」とを送信バッファ１１６にセットし（ステップＳ３５）、送信待機状態とする（ステップＳ３６）。
【０１８１】
この送信待機状態において、キー入力部１１０における加入者のダイアルキー操作の有無を検出し（ステップＳ３７）、ダイアルキー操作を検出すれば、送信バッファ１１６にセットした連絡先電話番号「００００  ００  ００００−０１」であるＤＴＭＦデータをＤ／Ａ変換部１１７によりＤ／Ａ変換してアナログのＤＴＭＦ信号に変換して、アンプ１１８によりスピーカー１１９からＤＴＭＦ音を出力させる（ステップＳ３８）。このＤＴＭＦ音を出力するスピーカー１１９を公衆電話２の送話器に近付けることにより、この公衆電話２から公衆回線網３を介して情報サービスセンター６に回線接続要求することができる。
【０１８２】
この公衆電話２から情報サービスセンター６への回線接続要求により、公衆電話２と情報サービスセンター６との間の回線が接続状態となったことを確認した後（ステップＳ３９）、さらにキー入力部１１０における加入者のダイアルキー操作の有無を検出し（ステップＳ４０）、ダイアルキー操作を検出すれば、送信バッファ１１６にセットした自己の１ｓｔアドレス用の呼出番号「１２３４−５６−７８９０」であるＤＴＭＦデータをＤ／Ａ変換部１１７によりＤ／Ａ変換してアナログのＤＴＭＦ信号に変換して、アンプ１１８によりスピーカー１１９からＤＴＭＦ音を出力させて（ステップＳ４１）、ステップＳ７１の処理に戻る。
【０１８３】
このＤＴＭＦ音を出力するスピーカー１１９を公衆電話２の送話器に近付けることにより、この電話機から公衆回線網３を介して情報サービスセンター６に１ｓｔアドレスを送出することができる。
【０１８４】
また、上記ステップＳ３２の処理において、クイズ用メモリエリア（ＱＭ）１１２ｂ内の問題番号データ「００１」に対応する入力データ欄に格納されている入力データと正解メッセージデータ欄に格納されている正解メッセージデータとの照合結果が一致していなければ、図３２に示すように、そのクイズ用メモリエリア（ＱＭ）１１２ｂ内の問題番号データ「００１」に対応するフラグＢ欄に「０」をセットする（ステップＳ４２）。そして、問題番号データ「００１」に対し入力された回答が「ハズレ」であることを表示部１０９に表示し（ステップＳ４３）、その連絡先電話番号データ欄に格納されている連絡先電話番号データ（末尾２桁）「      −０１」を消去する。
【０１８５】
また、上記ステップＳ６１において、キー入力部１１０からのクイズメッセージの読み出しモード指示の入力がなければ、ステップＳ６７に移行して通常メッセージの読み出しモードを実行する。
【０１８６】
すなわち、通常のメッセージ着信処理によりＲＡＭ１１２内のメッセージメモリエリア（ＭＭ）１１２ａに既に格納されているメッセージデータの読み出し処理を実行する。
【０１８７】
なお、クイズに対する回答が入力されない間は、図２９に示す回答期限処理のフローチャートを実行する。
【０１８８】
この図２９に示す回答期限処理では、上記ＣＰＵ１０４内の回答期限タイマにセット（図３０でクイズ用メモリエリア（ＱＭ）１１２ｂ内の回答期限欄にセット）した回答期限「９７．０３．１６  １０：００ＡＭ」の期限切れを検出すると（ステップＳ９１）、図３０のクイズ用メモリエリア（ＱＭ）１１２ｂ内のフラグＡ欄に「０」をセットする（ステップＳ９２）。そして、回答が未入力であることと正解メッセージデータ欄に格納された正解メッセージ「（２）」を表示部１０９に表示し（ステップＳ９３）、図３０のクイズ用メモリエリア（ＱＭ）１１２ｂ内の連絡先電話番号データ欄に格納された連絡先電話番号データ（末尾２桁）を消去して（ステップＳ９４）、図２１の間欠受信状態に戻る。
【０１８９】
但し、上記ステップＳ９１の期限切れ検出前の回答期限の所定時間前（１０分前）にはアラーム報知して、ページャー加入者に対して回答の入力要求がなされるものとする。
【０１９０】
また、上記ステップＳ７６の処理において、受信したアドレスフィールド（ＡＦ）Ｃ５内の８ｂｉｔのパラレルデータではなく通常の自己の呼出番号である１ｓｔアドレス、あるいはデュアルコール用の２ｎｄアドレスデータ、あるいは通番サービス用の３ｒｄアドレスデータである場合は、これらの取り込んだデータをＲＡＭ１１２内のメッセージメモリエリア（ＭＭ）１１２ａに格納する（ステップＳ８４）。そして、そのメッセージメモリエリア（ＭＭ）１１２ａに格納した自己宛のメッセージデータの内容を解析して（ステップＳ８５）、ドライバ１１４により駆動されるＬＥＤ１１５の点滅、あるいはスピーカー１１９の報知音により着信を報知するとともに、解析したメッセージを表示部１０９に表示して（ステップＳ８６）、ステップＳ７１の処理に戻る。
【０１９１】
以上のように、情報サービスセンター６から送信されるクイズメッセージに対応する着信処理を含む上記図２７、図２８の着信処理がグループＸ〜Ｚに属するページャー１Ａ〜１Ｉにおいて実行されることにより、情報サービスセンター６からグループＸ〜Ｚ毎の４ｔｈアドレス（グループ呼出番号）によりページングセンター４を介して同時に送信される問題番号データ、クイズメッセージデータ、そのクイズメッセージデータの正解メッセージデータ、及び連絡先電話番号（末尾２桁）のデータの着信処理及びＲＡＭ１１２内のクイズ用メモリエリア（ＱＭ）１１２ｂへの格納処理が自動的に実行された後、加入者のクイズメッセージ読み出し指示により、そのクイズメッセージのみが読み出されて表示部１０９に表示される。
【０１９２】
そして、その回答番号を選択入力した後、正解すれば、先のクイズメッセージ着信処理によりクイズ用メモリエリア（ＱＭ）１１２ｂ内に格納された情報サービスセンター６の連絡先電話番号（末尾２桁）が、ＩＤ−ＲＯＭ１１１に予め格納された情報サービスセンター６の連絡先電話番号に連結されて発呼されて回線接続が確認された後、次のダイアルキー操作に応じて自己の呼出番号（１ｓｔアドレス）が情報サービスセンター６に送信される。
【０１９３】
そして、情報サービスセンター６では、グループ毎に送信したクイズメッセージに対応してページャー１Ａ〜１Ｉ個々から回線接続され、１ｓｔアドレスを受信すると、その１ｓｔアドレスと契約者メモリ６４に格納された１ｓｔアドレスとが照合されて、正解したページャー加入者の個人情報が表示されて、管理者であるオペレータに通知される。
【０１９４】
したがって、本第２の実施の形態のページング通信システムでは、単なるメッセージの着信、表示のみの機能を提供するだけではなく、ページャー加入者が事業者に要求するページングシステムを利用した一種の遊び的要素に答えることができる。その結果、本第２の実施の形態のページング通信システムにおいて、情報サービスセンター６からグループ分けされたページャー１Ａ〜１Ｉに対して提供可能なページング情報のサービス形態としては、上記クイズ情報サービスの提供だけにとどまらず、ページャーグループ毎に提供する情報サービスの内容を設定して多様化することが容易に実現でき、加入者層の要求に応じて常に新しいサービスやページャーの新機能を提供することが可能となる。特に、事業者は利用者の中核となりつつある若年層に対して、より有用なページングサービスを提供することが容易にできる。
【０１９５】
また、本第２の実施の形態のページング通信システムでは、情報サービスセンター６からはクイズメッセージデータと回答メッセージデータとを含む送信データ構成でページングセンター４に１回で送信するようにしたため、上記第１の実施の形態の送信処理のようにクイズメッセージデータと回答メッセージデータとを２回に分けて送信する場合に比べて、情報サービスセンター６の処理負担を軽減することができる。
【０１９６】
なお、上記各実施の形態のページャー１Ａ〜１Ｉでは、回答データを情報サービスセンター６に送出する際の送出手段として、ＤＴＭＦ音を出力するスピーカー１１９を利用した場合を説明したが、その他の送出手段としては、例えば、赤外線を利用したＩｒ通信手段や無線によるデータ送受信手段等が考えられる。
【０１９７】
送信手段として、例えば、ＩｒＤＡ通信規格に基づくＩｒ通信手段を備えたページャーの内部回路構成のブロック図を図３３に示す。なお、図３３のページャー１２０中の１２１〜１３５で示す各構成は、上記第１の実施の形態の図７のページャー内の１０１〜１１５で示した各構成と同一のものである。
【０１９８】
この図３３に示すページャー１２０では、ドライバ１３７及びＬＥＤ１３８がＩｒＤＡ通信規格に基づいてＩｒＤＡ通信信号を発光する機能を有しており、送信バッファ１３６にセットされる上記回答メッセージデータと連絡先電話番号データと自己の１ｓｔアドレス用の呼出番号データに基づいて、ドライバ１３７によりＬＥＤ１３８をＩｒＤＡ通信規格に基づいて駆動してＩｒ通信信号を発光させる。
【０１９９】
この場合、ＩｒＤＡ受光部と通信モデム機能を内蔵するパーソナルコンピュータや携帯情報端末装置等の通信情報機器のＩｒＤＡ受光部に対してページャー１２０のＬＥＤ１３８の部分を対向させて、ページャー１２０からＩｒＤＡ通信信号を発光させ、その通信情報機器から公衆回線網を介して情報サービスセンター６に発呼して回答データを送信することが可能である。
【０２００】
また、上記送信手段として無線によるデータ送受信手段を備えてページャー機能を内蔵した通信端末の内部回路構成のブロック図を図３４に示す。なお、図３４の通信端末１４０中の１４１、１４４〜１５５で示す各構成は、上記第１の実施の形態の図７のページャー内の１０１、１０４〜１１５で示した各構成と同一のものである。
【０２０１】
この図３４に示す通信端末１４０では、そのページャー機能によりページングセンター４から送信される上記クイズメッセージデータ等をアンテナ１４１及び送／受信部１４２で受信してエンコーダー／デコーダー１４３によりデコードしてデータ保存及び着信報知、クイズメッセージ表示を行うとともに、送信バッファ１３６にセットされる上記回答メッセージデータと連絡先電話番号データと自己の１ｓｔアドレス用の呼出番号データを、エンコーダー／デコーダー１４３によりエンコードして送信データを生成し、送／受信部１４２及びアンテナ１４１から無線送信させる。
【０２０２】
この場合、通信端末１４０から無線送信される送信データは、その送信データ構成が携帯電話の通信規格に基づくものであれば、その携帯電話の無線機地局から公衆回線網を介して情報サービスセンター６に発呼して回答データを送信することが可能である。
【０２０３】
また、上記各実施の形態のページング通信システムでは、情報サービスセンター６からグループ分けされたページャー１Ａ〜１Ｉに対して適用される情報サービス形態として、情報サービスセンター６からページャー１Ａ〜１Ｉに対してクイズメッセージを送信し、ページャー１Ａ〜１Ｉから情報サービスセンター６に対して正解したクイズメッセージを特定する末尾２桁の番号と、正解した契約者を特定する１ｓｔアドレスの呼出番号とを送信することで、情報サービスセンター６では契約したページャー加入者であることを認証する認証機能を適用した場合を説明したが、この認証機能を適用可能なその他の情報サービス形態としては、例えば、数字あわせ「ビンゴゲーム」等としたり、本実施の形態の問題番号を商品番号、クイズメッセージを商品名とし、購入の要否を検出することにより連絡先番号の送信、消去を行うようにすれば、有線、無線を問わず様々な通信システムにおける商取引等の端末認証にも適用可能である。
【０２０４】
【発明の効果】
請求項１記載の発明の通信装置及び請求項６記載の発明の通信方法によれば、入力回答が受信回答と一致した場合、自己の通信装置が正解したことを送信元に確実に通知することができる。このため、例えば、クイズ情報サービスの一環として、付加機能を拡張するよう無線データを送信する等のサービスを正解した加入者の通信装置に提供することが可能となり、単なるメッセージの着信、表示のみの機能を提供するだけではなく、加入者が要求する一種の遊び的要素に答えることができる。また、通信装置が識別情報を送信元に送信することによって、送信元は回答を要求する情報等を送信した送信先を特定し、その受信した識別情報を照合するだけで送信先の通信装置を認証することができる。これにより、情報サービスのサービス形態をより一層充実させることができる。
【０２０５】
請求項２記載の発明の通信装置によれば、入力回答が受信回答と一致しない場合、送信先への接続情報が自動的に消去されるため、通信装置の利用者が不要な接続情報を消去する手間を省略することができる。
【０２０６】
請求項３記載の発明の通信装置によれば、回答を要求する情報等回答の受信後、一定時間に近付くまでに回答が入力されていない場合に報知するため、加入者に対して回答の入力を要求することができる。
【０２０７】
請求項４記載の発明の通信装置によれば、回答を要求する情報等の受信後に一定時間が経過すると共に、回答を入力していない場合、送信先への接続情報が自動的に消去されるため、通信装置の利用者が不要な接続情報を消去する手間を省略することができる。
【０２０８】
請求項５記載の発明の通信装置によれば、通信装置が識別情報を送信した送信元に、当該送信元の契約者であるか否かを判別させることができる。
【図面の簡単な説明】
【図１】本発明のデータ通信システムを適用した第１の実施の形態のページング通信システムの全体構成を示す図である。
【図２】図１のページングセンター４内部の回路構成を示すブロック図である。
【図３】図１の情報サービスセンター６内部の概略構成を示すブロック図である。
【図４】図３の契約者メモリ６４内のメモリ構成及びそのメモリ内に記憶される情報を示す図である。
【図５】図３の送信スケジュールファイル６５内のメモリ構成及びそのメモリ内に記憶される情報を示す図である。
【図６】図３のデータベース６６内のメモリ構成及びそのメモリ内に記憶される情報を示す図である。
【図７】図１のページャー１Ａ〜１Ｉ内部の回路構成を示すブロック図である。
【図８】図７のＩＤ−ＲＯＭ１１１内に記憶される情報を示す図である。
【図９】図７のＲＡＭ１１２内に記憶される情報を示す図である。
【図１０】図９のクイズ用メモリエリア（ＱＭ）１１２ｂ内のメモリ構成を示す図である。
【図１１】図３の情報サービスセンター６により実行されるシステム処理のフローチャートである。
【図１２】図１１のステップＳ１２において情報サービスセンター６からページングセンター４に送信される送信データのデータ構成を示す図である。
【図１３】図１１のステップＳ１２において１回目送信時に、ページングセンター４からページャー１Ａ〜１Ｉに送信される送信データのデータ構成を示す図である。
【図１４】図１１のステップＳ１２において２回目送信時に、ページングセンター４からページャー１Ａ〜１Ｉに送信される送信データのデータ構成を示す図である。
【図１５】図７のページャーにより実行される着信処理の一部を示すフローチャートである。
【図１６】図１５に続く着信処理の一部を示すフローチャートである。
【図１７】図１５に続く着信処理の一部を示すフローチャートである。
【図１８】図１５のステップＳ５０の処理による図１０のクイズ用メモリエリア（ＱＭ）１１２ｂ内への情報の格納遷移状態を示す図である。
【図１９】図１６のステップＳ４６の処理による図１０のクイズ用メモリエリア（ＱＭ）１１２ｂ内への情報の格納遷移状態を示す図である。
【図２０】図１６のステップＳ３３の処理による図１０のクイズ用メモリエリア（ＱＭ）１１２ｂ内への情報の格納遷移状態を示す図である。
【図２１】図１６のステップＳ４５の処理による図１０のクイズ用メモリエリア（ＱＭ）１１２ｂ内への情報の格納遷移状態を示す図である。
【図２２】図１６のステップＳ４２の処理による図１０のクイズ用メモリエリア（ＱＭ）１１２ｂ内への情報の格納遷移状態を示す図である。
【図２３】本発明のデータ通信システムを適用した第２の実施の形態のページング通信システムの情報サービスセンター６内のデータベース６６内のメモリ構成及びそのメモリ内に記憶される情報を示す図である。
【図２４】第２の実施の形態の情報サービスセンター６からページングセンター４に送信される送信データのデータ構成を示す図である。
【図２５】第２の実施の形態のページャー内のＩＤ−ＲＯＭ１１１内のメモリ構成及びそのメモリ内に記憶される情報を示す図である。
【図２６】第２の実施の形態のページャー内のＲＡＭ１１２内のクイズ用メモリエリア（ＱＭ）１１２ｂ内のメモリ構成及びそのメモリ内に記憶される情報を示す図である。
【図２７】第２の実施の形態のページャーにより実行される着信処理の一部を示すフローチャートである。
【図２８】図２７に続く着信処理の一部を示すフローチャートである。
【図２９】第２の実施の形態のページャーにより実行される回答期限処理を示すフローチャートである。
【図３０】図２７のステップＳ８３Ｓ、８０の処理による図２６のクイズ用メモリエリア（ＱＭ）１１２ｂ内への情報の格納遷移状態を示す図である。
【図３１】図１６のステップＳ３３の処理による図２６のクイズ用メモリエリア（ＱＭ）１１２ｂ内への情報の格納遷移状態を示す図である。
【図３２】図１６のステップＳ４２の処理による図２６のクイズ用メモリエリア（ＱＭ）１１２ｂ内への情報の格納遷移状態を示す図である。
【図３３】本発明のデータ通信システムを適用したその他の実施の形態のページャー内部の回路構成を示すブロック図である。
【図３４】本発明のデータ通信システムを適用したその他の実施の形態のページャー内部の回路構成を示すブロック図である。
【図３５】従来の高度ページングシステムの標準規格「ＲＣＲ  ＳＴＤ−４３」で規定されたデータ構成を示す図である。
【符号の説明】
１Ａ〜１Ｉ  ページャー
１０１    アンテナ
１０２    受信部
１０３    デコーダー
１０４    ＣＰＵ
１０５    デインターリーブ回路
１０６    バッファメモリ
１０７    ＢＣＨデコーダー
１０８    ドライバ
１０９    表示部
１１０    キー入力部
１１１    ＩＤ−ＲＯＭ
１１２    ＲＡＭ
１１２ａ  メッセージメモリエリア（ＭＭ）
１１２ｂ  クイズ用メモリエリア（ＱＭ）
１１３    ＲＯＭ
１１４    ドライバ
１１５    ＬＥＤ
１１６    送信バッファ
１１７    Ｄ／Ａ変換部
１１８    アンプ
１１９    スピーカー
２      公衆電話
３      公衆回線網
４      ページングセンター
４０１    入出力回路
４０２    切替部
４０３    呼出番号照合部
４０４    加入者メモリ
４０５    音声応答回路
４０６    制御部
４０７    メッセージレジスタ
４０８    ベクトルレジスタ
４０９    アドレスレジスタ
４１０    ブロック情報記憶用メモリ
４１１    時刻計時手段
４１２    送信信号制御部
４１３    送信データメモリ
５      送信アンテナ
６      情報サービスセンター
６１    メインフレーム
６２    データ入出力部
６３    データ出力部
６４    契約者メモリ
６５    送信スケジュールファイル
６６    データベース
７      専用回線
【図１】
0003812043.tif 000002
【図２】
0003812043.tif 000003
【図３】
0003812043.tif 000004
【図４】
0003812043.tif 000005
【図５】
0003812043.tif 000006
【図６】
0003812043.tif 000007
【図７】
0003812043.tif 000008
【図８】
0003812043.tif 000009
【図９】
0003812043.tif 000010
【図１０】
0003812043.tif 000011
【図１１】
0003812043.tif 000012
【図１２】
0003812043.tif 000013
【図１３】
0003812043.tif 000014
【図１４】
0003812043.tif 000015
【図１５】
0003812043.tif 000016
【図１６】
0003812043.tif 000017
【図１７】
0003812043.tif 000018
【図１８】
0003812043.tif 000019
【図１９】
0003812043.tif 000020
【図２０】
0003812043.tif 000021
【図２１】
0003812043.tif 000022
【図２２】
0003812043.tif 000023
【図２３】
0003812043.tif 000024
【図２４】
0003812043.tif 000025
【図２５】
0003812043.tif 000026
【図２６】
0003812043.tif 000027
【図２７】
0003812043.tif 000028
【図２８】
0003812043.tif 000029
【図２９】
0003812043.tif 000030
【図３０】
0003812043.tif 000031
【図３１】
0003812043.tif 000032
【図３２】
0003812043.tif 000033
【図３３】
0003812043.tif 000034
【図３４】
0003812043.tif 000035
【図３５】
0003812043.tif 000036